(57)【要約】      （修正有）【課題】効率よく、しかも安価にトコジラミの有無を検査することのできるトコジラミの有無の検査方法と、これに用いるトコジラミ吸引用具と、前記トコジラミ吸引用具を用いたトコジラミ検査用キットとを提供する。【解決手段】一端に掃除機の延長パイプ連結部を備え、他端にトコジラミ臭気吸着体装着用端部を備えた中空筒状の吸引具１と、吸引具１のトコジラミ臭気吸着体装着用端部に装着する吸着体ケース２と、吸着体ケース１の内部に収容される樹脂製又は紙製のスペーサー３とスペーサー３を挟んで、吸着体ケース２内部の最外側方向に配置されるトコジラミ臭気吸着体４と、吸着体ケース２を吸引具１のトコジラミ臭気吸着体装着用端部付近で受けて、トコジラミ臭気吸着体４を吸引具１のトコジラミ臭気吸着体装着用端部に装着するためのメッシュ状又はパンチング状の受け具５とを備える。【選択図】図１
2014108096.tif 000002
【特許請求の範囲】
【請求項１】
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具。
【請求項２】
前記トコジラミ臭気吸着体が、活性炭シートである、請求項１記載のトコジラミ吸引用具。
【請求項３】
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具、
及び、
前記トコジラミ吸引用具中のトコジラミ臭気吸着体を収容することのできる検査容器、
からなる、トコジラミ検査用キット。
【請求項４】
前記トコジラミ臭気吸着体が、活性炭シートである、請求項３記載のトコジラミ検査用キット。
【請求項５】
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサー３；
前記スペーサーを挟んで、前記吸着体ケース内部の最外側方向に配置されるトコジラミ臭気吸着体と；
を備えてなる、トコジラミ吸引用具を用い、
前記トコジラミ吸引用具中の中空筒状の吸引具のトコジラミ臭気吸着体装着用端部にトコジラミ臭気吸着体を装着した状態で、前記中空筒状の吸引具を掃除機の延長パイプと連結し、
次いで掃除機を作動させてトコジラミの有無を検査しようとする場所の空気を吸引して前記トコジラミ臭気吸着体に吸着させて検体とし、
前記検体を回収し、
回収した前記検体を検査場所まで移送し、
移送先の検査場所で回収した前記検体を検査容器に入れ、
この検体の入った検査容器を、擬似検体の入っている検査容器と共に複数配置し、
トコジラミを探知する能力を有するイヌに嗅がせて、
トコジラミ臭気の吸着した検体を探知させることからなる、
トコジラミの有無の検査方法。
【請求項６】
前記トコジラミ臭気吸着体が、活性炭シートである、請求項５記載のトコジラミの有無の検査方法。
【請求項７】
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具、
及び、
前記トコジラミ吸引用具中のトコジラミ臭気吸着体を収容することのできる検査容器、
からなる、トコジラミ検査用キットを用い、
前記トコジラミ吸引用具中の中空筒状の吸引具のトコジラミ臭気吸着体装着用端部にトコジラミ臭気吸着体を装着した状態で、前記中空筒状の吸引具を掃除機の延長パイプと連結し、
次いで掃除機を作動させてトコジラミの有無を検査しようとする場所の空気を吸引して前記トコジラミ臭気吸着体に吸着させて検体とし、
前記検体を回収し、
回収した前記検体を検査場所まで移送し、
移送先の検査場所で回収した前記検体を検査容器に入れ、
この検体の入った検査容器を、擬似検体の入っている検査容器と共に複数配置し、
トコジラミを探知する能力を有するイヌに嗅がせて、
トコジラミ臭気の吸着した検体を探知させることからなる、
トコジラミの有無の検査方法。
【請求項８】
前記トコジラミ臭気吸着体が、活性炭シートである、請求項７記載のトコジラミの有無の検査方法。
【発明の詳細な説明】
【技術分野】
【０００１】
本発明は、トコジラミ吸引用具、前記トコジラミ吸引用具を用いたトコジラミ検査用キット、並びにこれらを用いたトコジラミの有無の検査方法に関する。
【背景技術】
【０００２】
トコジラミ（Cimex lectularius  L.）は、カメムシ目トコジラミ科に属する昆虫である。
第二次大戦後にはほぼ根絶されたかにみえたトコジラミ（俗名：ナンキンムシ；Bedbug ）であるが、近年、欧米を中心とした海外の大都会において、アパート、オフィス、衣料品店、さらにはホテル等に出没し、一般家庭にも広がって、ヒトを刺し、吸血するという被害が続出している。トコジラミは幼虫・成虫の全てが吸血し、吸血されると、強いかゆみが生じ、眠れなくなったりすることもある。
このため、店舗等が一時閉鎖される事態にまで発展している。
【０００３】
我が国では、これまであまりトコジラミの被害は聞かれなかった。しかしながら、近時、ホテルや簡易宿泊施設などでトコジラミの被害が再び出始めており、その対策が望まれている。
例えば、２００３年には、「富山県のリゾートホテルでみられたトコジラミの大発生とその駆除記録」と題する報告がなされている（非特許文献１）。
【０００４】
トコジラミは、成虫でも５〜６ｍｍ程度と小さく、しかも布団の縫い目やベッドのマットレスの隙間などに隠れ、果ては家具や電化製品の中にまで入り込んでいることもあるため、トコジラミを見つけだすことは、容易ではない。
また、家庭用殺虫剤、特にピレスロイド系殺虫剤に対しては、抵抗性が見られるせいもあってか、効果が弱いなど、トコジラミの駆除は、一般にはかなり困難である。
しかも、トコジラミは血を吸わなくとも１年程度生きられ、雌の成虫は生涯に２００〜５００個も産卵する。
従って、一旦トコジラミが増殖してしまうと、駆除することはかなり困難となる。
【０００５】
また、殺虫剤の安全性や臭気の問題もあって、トコジラミの存在が確認されていないのに、予め部屋中に殺虫剤を噴霧しておくことは行われない。
【０００６】
それ故、トコジラミ問題に関しては、早期発見が最も重要である。そして、トコジラミの存在が確認された箇所について、必要な物理的・化学的対策をとることが望まれる。
【０００７】
しかしながら、上述したように、トコジラミは、成虫でも５〜６ｍｍ程度と小さく、しかも布団の縫い目やベッドのマットレスの隙間などに隠れ、果ては家具や電化製品の中にまで入り込んでいることもあるため、ヒトが目視でトコジラミを見つけだすことは、実際には容易ではない。
【０００８】
そこで、トコジラミ（ナンキンムシ）の生化学反応を示す生化学物質（例えば、唾液、外骨格、失われた触覚など）を検出して対応するセンサ信号を用いて、トコジラミ（ナンキンムシ）の検出、監視、及び防除を図る技術が提案されている（特許文献１）が、高価であったりすることなどから、実用化に至っていない。
実用化され、一定普及しているものとしては、吸血後、高濃度で排泄される炭酸ガスを感知する検出器があるが、評価は高いものではない。また、炭酸ガスへの誘引を利用したモニタリングトラップがあるが、生息が多くない場合では捕獲率は低く、早期発見を目的には使用しがたい。
【０００９】
このため、海外では、トコジラミを探知する能力を有するイヌ（いわゆるトコジラミ探知犬）を用いたトコジラミ調査が行われている。
欧米では３００頭以上のトコジラミ探知犬が活躍していると言われている。
【００１０】
しかしながら、我が国では、未だ１０頭未満のトコジラミ探知犬が使われているに過ぎない。
この程度の数のトコジラミ探知犬では、これを検査の求められている多くの場所に出動させ、トコジラミを探知させることは、物理的にかなり難しい。
というのも、１頭のトコジラミ探知犬が１日に活動することのできるトータル時間やトコジラミ探知を行える時間は、それほど長くないからである。また、夏季はトコジラミの活動期であるが、この時期、夏バテで探知犬の探知持続時間は短くなる。
【００１１】
そこで、最終的にはトコジラミ探知犬を使いながらも、わざわざトコジラミ探知犬が検査の求められている現場へ出動する必要がなく、効率よく、しかも安価にトコジラミの有無を検査することのできる手法が求められている。
【先行技術文献】
【特許文献】
【００１２】
【特許文献１】特表２０１０−５０７３９０号公報
【非特許文献】
【００１３】
【非特許文献１】「ペストロジー学会誌」  １８（１）第５３−５８ページ、２００３年
【発明の開示】
【発明が解決しようとする課題】
【００１４】
本発明者らは、上記従来の問題点を解決するため、鋭意研究を重ねた。
その結果、本発明者らは、掃除機の吸引力を利用した、検査材料のコンタミネーション（汚染）の防止可能なトコジラミの吸引用具を新しく生み出し、これを用いてホテルの部屋等の空気を吸引し、トコジラミ臭が吸着された検体を移送し、トコジラミを探知する能力のあるイヌに嗅がせて、検体に吸着されたトコジラミ臭を探知させるシステムを想到するに至った。
【００１５】
即ち、本発明は、上記従来の問題を解消し、最終的にはトコジラミ探知犬を使いながらも、トコジラミ探知犬がわざわざ検査の求められている現場へ出動する必要がなく、効率よく、しかも安価にトコジラミの有無を検査することのできるトコジラミの有無の検査方法と、これに用いるトコジラミ吸引用具と、前記トコジラミ吸引用具を用いたトコジラミ検査用キットと、を提供することを目的とするものである。
【課題を解決するための手段】
【００１６】
即ち、請求項１に係る本発明は、
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具を提供するものである。
請求項２に係る本発明は、
前記トコジラミ臭気吸着体が、活性炭シートである、請求項１記載のトコジラミ吸引用具を提供するものである。
請求項３に係る本発明は、
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備え、
かつ、使い捨てキットとされてなる、トコジラミ吸引用具、
及び、
前記トコジラミ吸引用具中のトコジラミ臭気吸着体を収容することのできる検査容器、
からなる、トコジラミ検査用キットを提供するものである。
請求項４に係る本発明は、
前記トコジラミ臭気吸着体が、活性炭シートである、請求項３記載のトコジラミ検査用キットを提供するものである。
請求項５に係る本発明は、
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具を用い、
前記トコジラミ吸引用具中の中空筒状の吸引具のトコジラミ臭気吸着体装着用端部にトコジラミ臭気吸着体を装着した状態で、前記中空筒状の吸引具を掃除機の延長パイプと連結し、
次いで掃除機を作動させてトコジラミの有無を検査しようとする場所の空気を吸引して前記トコジラミ臭気吸着体に吸着させて検体とし、
前記検体を回収し、
回収した前記検体を検査場所まで移送し、
移送先の検査場所で回収した前記検体を検査容器に入れ、
この検体の入った検査容器を、擬似検体の入っている検査容器と共に複数配置し、
トコジラミを探知する能力を有するイヌに嗅がせて、
トコジラミ臭気の吸着した検体を探知させることからなる、
トコジラミの有無の検査方法を提供するものである。
請求項６に係る本発明は、
前記トコジラミ臭気吸着体が、活性炭シートである、請求項５記載のトコジラミの有無の検査方法を提供するものである。
請求項７に係る本発明は、
一端に掃除機の延長パイプ連結部を備え、他端にトコジラミ臭気吸着体装着用端部を備えた中空筒状の吸引具と；
前記吸引具のトコジラミ臭気吸着体装着用端部に装着する吸着体ケースと；
前記吸着体ケースの内部に収容される樹脂製又は紙製のスペーサーと；
前記スペーサーを挟んで、前記吸着体ケース内部の最外側方向に配置されるトコジラミ臭気吸着体と；
を備えてなる、トコジラミ吸引用具、
及び、
前記トコジラミ吸引用具中のトコジラミ臭気吸着体を収容することのできる検査容器、
からなる、トコジラミ検査用キットを用い、
前記トコジラミ吸引用具中の中空筒状の吸引具のトコジラミ臭気吸着体装着用端部にトコジラミ臭気吸着体を装着した状態で、前記中空筒状の吸引具を掃除機の延長パイプと連結し、
次いで掃除機を作動させてトコジラミの有無を検査しようとする場所の空気を吸引して前記トコジラミ臭気吸着体に吸着させて検体とし、
前記検体を回収し、
回収した前記検体を検査場所まで移送し、
移送先の検査場所で回収した前記検体を検査容器に入れ、
この検体の入った検査容器を、擬似検体の入っている検査容器と共に複数配置し、
トコジラミを探知する能力を有するイヌに嗅がせて、
トコジラミ臭気の吸着した検体を探知させることからなる、
トコジラミの有無の検査方法を提供するものである。
請求項８に係る本発明は、
前記トコジラミ臭気吸着体が、活性炭シートである、請求項７記載のトコジラミの有無の検査方法を提供するものである。
【発明の効果】
【００１７】
本発明によれば、最終的にはトコジラミ探知犬を使いながらも、トコジラミ探知犬がわざわざ検査の求められている現場へ出動する必要がなく、効率よくトコジラミの有無を検査することのできるトコジラミの有無の検査方法と、これに用いるトコジラミ吸引用具と、前記トコジラミ吸引用具を用いたトコジラミ検査用キットと、が提供される。
本発明によれば、トコジラミの有無の検査方法に有効に用いられる、検体のコンタミネーション（汚染）の防止可能なトコジラミ吸引用具と、このトコジラミ吸引用具を用いたトコジラミ検査用キットと、が提供される。
本発明によれば、トコジラミの有無の検査方法に有効に用いられる、安価に製造可能なトコジラミ吸引用具と、このトコジラミ吸引用具を用いたトコジラミ検査用キットと、が提供される。
【図面の簡単な説明】
【００１８】
【図１】本発明のトコジラミ吸引用具の１態様を示す正面図である。
【図２】図１の平面図である。
【図３】図１、２に示すトコジラミ吸引用具の分解説明図である。
【図４】吸引具１の１態様を示す正面図である。
【図５】図４の平面図である。
【図６】吸引具１の延長パイプ連結部１０１と掃除機の延長パイプＢとを連結した状態を示す説明図である。
【図７】吸着体ケース２の１態様を示す斜視図である。
【図８】吸着体ケース２の１態様を示す平面図である。
【図９】吸引具１の他端、すなわちトコジラミ臭気吸着体装着用端部１０２に吸着体ケース２を挿入し、これに装着した状態を示す説明図である。
【図１０】スペーサー３の１態様を示す斜視図である。
【図１１】スペーサー３の他の態様を示す斜視図である。
【図１２】トコジラミ臭気吸着体４の１態様を示す斜視図である。
【図１３】吸着体ケース２に、スペーサー３を挟んで、吸着体ケース２内部の最外側方向に、トコジラミ臭気吸着体４を配置する状態を示す説明図である。
【図１４】受け具５の１態様を示す斜視図である。
【図１５】吸着体ケース２と、樹脂製又は紙製のスペーサー３と、トコジラミ臭気吸着体４と、メッシュ状又はパンチング状の受け具５と、を再開閉可能な密封用容器Ｃに封入した状態を示す説明図である。この図は、使用前の状態を示している。
【図１６】メッシュ状又はパンチング状の受け具５にほぼ直接トコジラミ臭気吸着体４を装着するようにして、吸着体ケース２を省略したときのトコジラミ吸引用具Ａの分解説明図である。
【図１７】本発明のトコジラミ吸引用具Ａを用いて、ベッド回りを吸引している模様を示す説明図である。
【図１８】密封用容器Ｃに検体４Ａを入れ密封した状態を示す説明図である。この状態で移送される。
【図１９】検査のための容器Ｄに、検体４Ａを入れ、この検査のための容器Ｄをさらに別途用意する検査用容器Ｅに入れた状態を示す説明図である。
【図２０】トコジラミを探知する能力を有するイヌにより、コジラミの有無の検査を行っている模様を示す説明図である。
【発明を実施するための最良の形態】
【００１９】
請求項１に係る本発明は、トコジラミ吸引用具に関し、
一端に掃除機の延長パイプ連結部を備え、他端にトコジラミ臭気吸着体装着用端部を備えた中空筒状の吸引具１と；
前記吸引具のトコジラミ臭気吸着体装着用端部に装着する吸着体ケース２と；
前記吸着体ケースの内部に収容される樹脂製又は紙製のスペーサー３と；
前記スペーサーを挟んで、前記吸着体ケース内部の最外側方向に配置されるトコジラミ臭気吸着体４と；
を備えてなるものである。
【００２０】
以下、本発明を図面により詳細に説明する。
図１は、請求項１に係る本発明のトコジラミ吸引用具の１態様を示す正面図である。図２は、図１の平面図である。図３は、図１、２に示すトコジラミ吸引用具の分解説明図である。
【００２１】
図１において、符号Ａはトコジラミ吸引用具である。符号１は吸引具、符号２は吸着体ケース、符号３はスペーサー、符号４はトコジラミ臭気吸着体、符号５はメッシュ状又はパンチング状の受け具をそれぞれ示している。
【００２２】
ここでトコジラミ吸引用具Ａは、
中空筒状の吸引具１と；
吸着体ケース２と；
樹脂製又は紙製のスペーサー３と；
前記スペーサーを挟んで、前記吸着体ケース内部の最外側方向に配置されるトコジラミ臭気吸着体４と；
を備えたものである。
【００２３】
図４は、吸引具１の１態様を示す正面図である。図５は、図４の平面図である。
吸引具１は、全体として中空筒状のもの、即ち、全体が、中空状で、かつ、筒状のものである。図４、５では、吸引具１は、円筒状のものを示しているが、筒状のものであればこれに限定されるものではなく、必要に応じて角筒状のものなどとすることができる。
吸引具１は、通常、再利用するため、樹脂製とするか、或いはアルミなどの金属製のものとすることが好ましい。勿論、紙製のものとすることも可能である。再利用するにあたっては、コンタミネーション防止のため、洗浄しておく。
【００２４】
吸引具１の一端は先細状となっていて、そこには、掃除機の延長パイプ連結部１０１が備えられている。この掃除機の延長パイプ連結部１０１に、別途用意される、掃除機の延長パイプが連結されることになる。
連結は、吸引具１の延長パイプ連結部１０１に掃除機の延長パイプＢを差し込むことにより行うものであってもよいし、吸引具１の延長パイプ連結部１０１を掃除機の延長パイプＢに被せることにより行うものであってもよい。
図６は、吸引具１の延長パイプ連結部１０１に掃除機の延長パイプＢを差し込むことにより、吸引具１の延長パイプ連結部１０１と掃除機の延長パイプＢとを連結した状態を示す説明図である。
掃除機の延長パイプＢの先に掃除機（掃除機本体とホース）が接続されることになる。
【００２５】
一方、吸引具１の他端には、トコジラミ臭気吸着体４を装着するための、トコジラミ臭気吸着体装着用端部１０２が備えられている。
このトコジラミ臭気吸着体装着用端部１０２には、内部にトコジラミ臭気吸着体４を入れた吸着体ケース２が装着される。
図７は、吸着体ケース２の１態様を示す斜視図である。図８は、吸着体ケース２の１態様を示す平面図である。
【００２６】
吸着体ケース２は、吸引具１の他端、すなわちトコジラミ臭気吸着体装着用端部１０２に挿入し、これに装着しうるようにされており、図７、８では、吸引具１の形状に合わせて、円筒状のものを示しているが、筒状のものであればこれに限定されるものではなく、角筒状のものなどとすることもできる。
吸着体ケース２は、通常、使用後には廃棄されることになるため、コスト面を考慮して、紙製のものとされているが、必要に応じて樹脂製のものとすることもできる。
図９は、吸引具１の他端、すなわちトコジラミ臭気吸着体装着用端部１０２に吸着体ケース２を挿入し、これに装着した状態を示す説明図である。
【００２７】
吸着体ケース２の内部には、樹脂製又は紙製のスペーサー３が収容されている。
このスペーサー３により、トコジラミ臭気吸着体４を、吸着体ケース２の最外側方向に配置する。
図１０は、スペーサー３の１態様を示す斜視図である。図１０では、スペーサー３は、２枚の板状体を、平面形状が十字になるように組んだ如き形状のものを示しているが、スペーサーとしての役割を果たすことができるものであれば、これに限定されるものではない。例えば、図１１に示す如き、平面形状が星型となるようなものであってもよい。
スペーサー３は、通常、樹脂製又は紙製のものとされている。
【００２８】
スペーサー３を挟んで、吸着体ケース２内部の最外側方向に、トコジラミ臭気吸着体４が配置される。
図１２は、トコジラミ臭気吸着体４の１態様を示す斜視図である。
図１３は、吸着体ケース２に、スペーサー３を挟んで、吸着体ケース２内部の最外側方向に、トコジラミ臭気吸着体４を配置する状態を示す説明図である。
このトコジラミ臭気吸着体４は、吸着体ケース２の内部に収容されているスペーサー３の上に載置される。
トコジラミ臭気吸着体４の外形は、吸着体ケース２の形状（特に内部形状）に合わせたものとされている。通常、吸着体ケース２の形状（特に内部形状）は円筒状とされていることから、トコジラミ臭気吸着体４の外形も、これに合わせて略円盤状とされるが、吸着体ケース２の形状（特に内部形状）に合わせたものとすることもできる。
【００２９】
トコジラミ臭気吸着体４は、トコジラミ臭気を吸着しうるものであれば、例えば粒状・ブロック状・スポンジ状・ヘチマ状・ハニカム状のものなど様々なものを用いることができるが、活性炭をシート状にした活性炭シートなどが最も好適である。
トコジラミ臭気吸着体４の大きさは特に制限されないが、略円盤状のものの場合、通常、厚さが１〜３ｍｍ程度であって、直径が４〜６ｃｍ程度である。
【００３０】
さらに、トコジラミ吸引用具Ａには、通常、メッシュ状又はパンチング状の受け具５が備えられている。
このメッシュ状又はパンチング状の受け具５は、この上に載せる吸着体ケース２を受けて、これを支持する受け具としての役割を果たすと共に、空気を流通させる役割を果たすものである。空気を流通させる役割を果たすために、受け具５としては、それ自体がメッシュ状（網目状）又はパンチング状（打ち抜き状、穴あけ状）をなしているものが用いられる。
【００３１】
図１４は、受け具５の１態様を示す斜視図である。図１４では、受け具５として、メッシュ状のものを示しているが、パンチング状（打ち抜き状、穴あけ状）をなしたものであってもよい。
受け具５の外形は、吸着体ケース２の形状（特に内部形状）に合わせたものとされている。通常、吸着体ケース２の形状（特に内部形状）は円筒状とされていることから、受け具５の外形も、これに合わせて略円盤状とされるが、吸着体ケース２の形状（特に内部形状）に合わせたものとすることもできる。
この受け具５により、吸着体ケース２が吸引具１のトコジラミ臭気吸着体装着用端部１０２付近で受けられることになり、その結果、トコジラミ臭気吸着体４が吸引具１のトコジラミ臭気吸着体装着用１０２端部に装着されることになる。
即ち、メッシュ状又はパンチング状の受け具５は、吸着体ケース２を吸引具１のトコジラミ臭気吸着体装着用端部１０２付近で受けて、トコジラミ臭気吸着体４を吸引具１のトコジラミ臭気吸着体装着用端部１０２に装着する役割を果たしている。
【００３２】
但し、図１に示すように、吸引具１の一端は先細状となっていることから、吸着体ケース２は、吸引具１のトコジラミ臭気吸着体装着用端部１０２付近で、それ以上吸引具１の内部には進入しないようになっている。
従って、この場合には、受け具としての役割を果たす必要がないことから、メッシュ状又はパンチング状（打ち抜き状、穴あけ状）の受け具５を、省略することもできる。またメッシュ状又はパンチング状（打ち抜き状、穴あけ状）の受け具５を、吸着体ケース２の底に配置しておくことも可能である。この場合、吸着体ケース２の底に貼り付けてもよいし、或いは吸着体ケース２の底に一体的に配置させてもよい。
なお、活性炭シートなどからなるトコジラミ臭気吸着体４が軟らかいようなものである場合などには、メッシュ状又はパンチング状の受け具５を、トコジラミ臭気吸着体４と吸着体ケース２の間と、吸着体ケース２の下とに、合計２枚配置しておくこともできる。
【００３３】
本発明のトコジラミ吸引用具Ａは、その全て乃至は一部を再開閉可能な密封用容器に封入して、使い捨てキットとすることができる。
【００３４】
本発明のトコジラミ吸引用具Ａは、その全て乃至は一部を使い捨てキットとすることにより、検体のコンタミネーション（汚染）を防止することが可能である。
本発明においては、トコジラミ吸引用具Ａの全てを使い捨てキットとすることもできるが、通常、トコジラミ吸引用具Ａの中では最も外側となることから、吸引具１だけは再利用可能である。
従って、吸着体ケース２と、樹脂製又は紙製のスペーサー３と、トコジラミ臭気吸着体４とを、或いは、吸着体ケース２と、樹脂製又は紙製のスペーサー３と、トコジラミ臭気吸着体４と、メッシュ状又はパンチング状の受け具５と、をそれぞれ使い捨てキットとすることが好ましく、検査後は、吸引具１だけを再利用するようにすることが好ましい。
使い捨てキットとして用いる場合には、通常、樹脂製又は紙製のスペーサー３と、トコジラミ臭気吸着体４とを、或いは、吸着体ケース２と、樹脂製又は紙製のスペーサー３と、トコジラミ臭気吸着体４と、メッシュ状又はパンチング状の受け具５と、を再開閉可能な密封用容器に封入して用いる。
【００３５】
図１５は、吸着体ケース２と、樹脂製又は紙製のスペーサー３と、トコジラミ臭気吸着体４と、を再開閉可能な密封用容器Ｃに封入した状態を示す説明図である。
この密封用容器Ｃとしては、いわゆるチャック付き袋のように、密封容器でありながら、再開閉可能なものが用いられる。
再開閉可能な密封用容器Ｃには、検査番号や検査した場所などを書き込むことのできる記入欄６を設けておくとよい。この場合、吸着体ケース２とこの密封用容器Ｃには、それぞれ同一の番号が付される。
【００３６】
本発明のトコジラミ吸引用具Ａは、基本的には上記の如き構造のものであるが、本発明の特色を失わない限り、必要に応じて若干の改変を加えてもよい。
例えば、本発明のトコジラミ吸引用具Ａには、通常、メッシュ状又はパンチング状の受け具５が備えられており、この受け具５は、この上に載せられる吸着体ケース２を受けて、これを支持する受け具としての役割を果たすと共に、空気を流通させる役割を果たすものである。
このメッシュ状又はパンチング状の受け具５により、吸着体ケース２が吸引具１のトコジラミ臭気吸着体装着用端部１０２付近で受けられることになり、その結果、トコジラミ臭気吸着体４が吸引具１のトコジラミ臭気吸着体装着用１０２端部に装着されることになっているが、例えば、図１６に示すように、このメッシュ状又はパンチング状の受け具５にほぼ直接トコジラミ臭気吸着体４を装着するようにして、吸着体ケース２を省略することも可能である。
なお、図１６に示すように、吸引具１には途中に蛇腹を設けて、フレキシブルなものとすることもできる。図１のタイプの吸引具にも適用することができる。
【００３７】
図１６は、メッシュ状又はパンチング状の受け具５にほぼ直接トコジラミ臭気吸着体４を装着するようにして、吸着体ケース２を省略したときのトコジラミ吸引用具Ａの分解説明図である。
ここで「ほぼ直接」としたのは、メッシュ状又はパンチング状の受け具５に、コンタミネーション防止のため、不織布又は紙状物７を介して、トコジラミ臭気吸着体４を装着するようにしているからである。不織布又は紙状物７は、使用後、廃棄される。この場合、吸着体ケース２やスペーサー３は使用しないことになる。
さらに、必要であれば、不織布又は紙状物７を、スペーサーに変えることもできる。
【００３８】
このときトコジラミ臭気吸着体４には、その周縁部にミシン目の如き切れ目を入れておき、この状態でトコジラミの有無を検査しようとする場所の空気を吸引した後に、周縁部４１を残して切り取り、中心部４２のみを検体として検査に供するようにするとよい。トコジラミ臭気吸着体４の切り取られた周縁部４１は、コンタミネーション防止のため、廃棄される。
この場合も、吸着体ケース２と、トコジラミ臭気吸着体４と、さらに必要に応じてメッシュ状又はパンチング状の受け具５と、を使い捨てキットとすることが好ましく、吸引後は、吸引具１だけを再利用することが好ましい。
【００３９】
また、使い捨てキットとして販売する場合には、通常、樹脂製又は紙製のスペーサー３と、トコジラミ臭気吸着体４とを、或いは、吸着体ケース２と、トコジラミ臭気吸着体４と、メッシュ状又はパンチング状の受け具５と、をそれぞれ再開閉可能な密封用容器に封入して販売する。
さらに、トコジラミ検査用キットとする場合には、樹脂製又は紙製のスペーサー３と、トコジラミ臭気吸着体４とを、或いは、吸着体ケース２と、トコジラミ臭気吸着体４と、メッシュ状又はパンチング状の受け具５と、にさらに、後述する、検査容器Ｄを組み合わせる。
【００４０】
このような本発明のトコジラミ吸引用具Ａを用いて、トコジラミの有無を検査しようとする場所（例えば、ホテルや簡易宿泊施設の部屋など）のトコジラミの有無を検査する。
以下の説明は、改変を加えていない本発明のトコジラミ吸引用具Ａに基づいたものである。
【００４１】
トコジラミ吸引用具Ａのうち、吸着体ケース２と、樹脂製又は紙製のスペーサー３と、トコジラミ臭気吸着体４と、さらに必要に応じてメッシュ状又はパンチング状の受け具５と、が再開閉可能な密封用容器Ｃに封入されている場合、まず密封用容器Ｃを開封し、これらを取り出す。
【００４２】
次いで、トコジラミ吸引用具Ａをセットする。
具体的には、吸引具１のトコジラミ臭気吸着体装着用端部１０２に、吸着体ケース２を装着する。
このとき、吸着体ケース２の内部に、予めスペーサー３とトコジラミ臭気吸着体４とを、トコジラミ臭気吸着体４が最外側方向となるように、つまり一番外側となるように、配置しておいてもよいし、或いは、吸引具１のトコジラミ臭気吸着体装着用端部１０２に吸着体ケース２を装着した後に、吸着体ケース２の内部に、スペーサー３とトコジラミ臭気吸着体４とを、トコジラミ臭気吸着体４が最外側方向となるように配置してもよい。その順序は問わない。
【００４３】
このようにしてセットされたトコジラミ吸引用具Ａを、図６のようにして、掃除機の延長パイプＢに差し込む。
より具体的には、トコジラミ吸引用具Ａの吸引具１の延長パイプ連結部１０１を、掃除機の延長パイプＢに差し込む。勿論、この掃除機の延長パイプＢの先には、掃除機（掃除機本体とホース）が接続されている。掃除機としては、業務用掃除機の他、家庭用掃除機を用いることができる。
この状態で、掃除機を作動させて、トコジラミの有無を検査しようとする場所（例えば、ベッド回りとか、カーテン付近とか特定の箇所、或いは、場合によっては部屋全体など）の空気を吸引し、トコジラミ臭気吸着体４にその空気を吸着させて検体（検査材料）４Ａとする。
【００４４】
吸引するとき、トコジラミ吸引用具Ａの先（他端）は、トコジラミの有無を検査しようとする場所には接触しないようにすべきである。接触させてしまうと、不要なゴミを吸引し、吸引力が低下してしまうからである。
図１７は、本発明のトコジラミ吸引用具Ａを掃除機の延長パイプＢの先端に取り付けて、ベッド回りを吸引している模様を示す説明図である。
【００４５】
そして、この検体４Ａ、つまりトコジラミの有無を検査しようとする場所の空気が吸引、吸着されたトコジラミ臭気吸着体を、吸着体ケース２から取り出して回収する。
なお、トコジラミの有無を検査しようとする場所の空気の吸引や、検体４Ａの回収は、専門家により行ってもよいし、検査しようとする場所の所有者・管理者等が行ってもよいことは、勿論である。
【００４６】
次いで、回収した前記検体４Ａを検査場所（検査のための容器がある場所）まで移送し、検査場所まで移送したら、その移送先の検査場所で回収した前記検体４Ａを容器に入れる。
このとき、回収した検体４Ａは、先に開封された密封用容器Ｃに入れ、再度、密封し、この状態で、検査のための容器がある場所まで速やかに移送する。移送時には、低温移送するとよい。このとき、密封用容器Ｃの記入欄６に、吸引した場所などを書き込んでおくとよい。また、密封用容器Ｃの記入欄６などと、吸着体ケース２とには、同一の番号を付しておくと好都合である。
図１８は、密封用容器Ｃに検体４Ａを入れ密封した状態を示す説明図である。
【００４７】
ここで検査方法を時系列的に述べると、まず開閉可能な密封用容器Ｃから、吸着体ケース２と、樹脂製又は紙製のスペーサー３と、トコジラミ臭気吸着体４と、メッシュ状又はパンチング状の受け具５とを取り出し、次いで吸引具１に装着してセットし、セットされたトコジラミ吸引用具Ａを掃除機の延長パイプＢに差し込み、掃除機を作動させて、トコジラミの有無を検査しようとする場所の空気を吸引し、トコジラミ臭気吸着体４に吸着させて検体とし、密封用容器Ｃの記入欄６を確認し、検体４Ａを密封用容器Ｃに入れ、回収する。回収した検体４Ａを、検査場所まで低温で移送し、移送先の検査場所で検体４Ａを密封用容器Ｃから取り出して検査容器Ｄに入れ、検体４Ａの入った検査容器Ｄをトコジラミを探知する能力を有するイヌに嗅がせて探知させ、トコジラミの生息等の有無を判定することになる。
【００４８】
検査場所（検査のための容器がある場所）まで移送したら、密封用容器Ｃを再度開封し、検体４Ａを取り出し、検査容器Ｄに入れる。
前述したように、この検査容器Ｄを、樹脂製又は紙製のスペーサー３と、トコジラミ臭気吸着体４とを、或いは、吸着体ケース２と、トコジラミ臭気吸着体４と、メッシュ状又はパンチング状の受け具５と、組み合わせて、トコジラミ検査用キットとする。
【００４９】
図１９では、検査容器Ｄは、上面が開口したアイスカップ状のものを示しているが、これに限定されるものではなく、コンタミネーション防止のため、蓋が開閉できるようにされているものであれば蓋付きのものとすることができる。また、蓋に栓をして臭気を溜めておき、トコジラミを探知する能力を有するイヌが検体を嗅ぐ際に開栓するようにしたものであってもよい。
検査容器Ｄは、コンタミネーション防止のため、いわゆる使い捨て（ディスポーザル）タイプのものとしておくことが好ましい。このため、通常は、検査のための容器Ｄは、樹脂製や紙製とされるが、これに限定されるものではない。
【００５０】
検査容器Ｄはそのままイヌによる検査に用いてもよいが、イヌがひっくり返したりすることがないように、或いは適宜加温したりすることができるように、別途用意する検査用容器Ｅにさらに入れることもできる。
【００５１】
図１９は、検査容器Ｄに、検体４Ａを入れ、この検査容器Ｄをさらに別途用意する検査用容器Ｅに入れた状態を示している。
このように検査容器Ｄを別途用意する検査用容器Ｅに入れておくことにより、中の検査容器Ｄから検体を取り出した後は、検査容器Ｄを廃棄すれば、コンタミネーションを有効に防止することが可能となる。このため、検査器具を洗浄したりする必要がない。
図１９中、符号Ｄ１は検査容器Ｄの蓋であり、符号Ｄ２は検査容器Ｄの栓である。
【００５２】
検査用容器Ｅは、検査容器Ｄを収容できるものであれば特に制限されないが、通常は、イヌがひっくり返したりすることがないように、ある程度の重量があった方が好ましい。そのため、金属製とすることもできるが、樹脂製やガラス製などとすることもできる。検査用容器Ｅの下部（図１９にＥ１として示した部分）には、重しとしての役割や、加温のために、水（これは加温・加熱用プレートにより加熱される）を入れたり、錘を入れたりすることもできる。
符号Ｆは、必要に応じて用いられる加温・加熱用プレートである。これにより検査容器Ｄ中の検体４Ａを加温し、検体からトコジラミ臭気を発散しやすいようにすることができ、一層検査の迅速化を図ることができる。
以下、「検査容器Ｄ」と「検査容器Ｄを入れた検査用容器Ｅ」とを共に、単に「検査容器Ｄ」と称することがある。
【００５３】
このようにして検体４Ａの入った検査容器Ｄを、擬似検体（ダミー）の入っている検査容器Ｄと共に複数配置する。配置する検査容器Ｄの数は、通常、４〜１０個程度であるが、配置する検査室の広さなどによっても異なり、これに限定されるものではない。
このように検査は、検体と擬似検体（ダミー）とを使用して行われる。擬似検体（ダミー）としては、通常、明らかなトコジラミ臭がある吸着体と、トコジラミ臭のしない吸着体（トコジラミがいない場所で吸引した吸着体又は吸引していない新品の吸着体）との２種がある。
なお、トコジラミの存在が全くないような可能性がある場合には、１０検体あたり１〜２体程度の割合で、トコジラミ臭気を有する擬似検体（ダミー）を用意し、擬似検体（ダミー）の入っている検査のための検査容器Ｄに入れておくと、トコジラミを探知する能力を有するイヌの緊張が維持され、より正確性が増すことになる。
検査容器Ｄは、ストレートに配置したり、サークル状に配置したり、ジグザグ状に配置することができる。
【００５４】
この状態で、検査容器Ｄの蓋Ｄ１が閉まっている場合には蓋Ｄ１を開け、栓Ｄ２がされている場合には、栓Ｄ２を開け、トコジラミを探知する能力を有するイヌ（通称、トコジラミ探知犬）に嗅がせる。
なお、このときのトコジラミを探知する能力を有するイヌを用いてのトコジラミの有無の検査は、通常行われている方法により行えばよい。イヌは、通常二頭用意され、一頭ずつ検査を実施する。
図２０は、トコジラミを探知する能力を有するイヌにより、コジラミの有無の検査を行っている模様を示す説明図である。
【００５５】
トコジラミを探知する能力を有するイヌの犬種は問わず、トコジラミを探知する能力を有するように訓練を受け、トコジラミを探知する能力を有するイヌであればよいことは勿論である。
【００５６】
トコジラミを探知する能力を有するイヌは、幾つかの容器の中から、トコジラミ臭気の吸着した検体を正確に探知し、ハンドラーに合図を送る。
このようにしてトコジラミの有無を検査することができる。ここで探知されるトコジラミ臭としては、成虫、幼虫臭の他、その死骸臭なども含まれる。
なお、トコジラミの有無を検査しようとする場所の吸引は、通常は１部屋毎に、或いは同じ部屋の特定箇所毎（例えば、ベッド回りとか、カーテン付近とか）に行われる。
しかしながら、ホテルなどにあっては、ある階の全部の部屋（例えば、１階に１０部屋あるならば、１０部屋全体）でまとめて検査し、トコジラミが存在していると認定された階についてのみ、再度、各部屋毎に検査を行うようにしてもよい。これにより、まだトコジラミがそれほど多くは発生していないような場合について、一層の効率化を図ることができる。
【００５７】
トコジラミを探知する能力を有するイヌにより、トコジラミ臭気があることが示されれば、トコジラミの存在が推定される。
但し、二頭の判断が同じである場合は問題ないが、二頭の判断が異なった場合は、同様の手順を再度実施する。従って、最大二頭で各二回、合計四回嗅がせることになるが、これに限定されるものではない。
【００５８】
判定が困難で、かつ、重要な検体（箇所）である場合には、加温・加熱用プレートＦにより検査容器Ｄ中の検体を加温し、検体からトコジラミ臭気を発散しやすいようにすることができる。
なお、検査容器Ｄを耐熱材料からなるものとしておけば、検査用容器Ｅを用いることなく、検査容器Ｄを直接、加温・加熱用プレートＦに載せ、加温することもできる。
【００５９】
最終的な判定は、トコジラミを探知する能力を有するイヌの判断（合図）に基づき、ハンドラーが行うことになる。
トコジラミを探知する能力を有するイヌの反応をハンドラーが観察し、総合的に判断して、通常は次のａ，ｂ，ｃの３段階で判定するが、もっと簡単に存在の有・無の２段階で判定することもできる。
ａ.生息が確実（措置レベル）
ｂ.生息の疑いがある（警戒レベル）
ｃ.生息の疑いが極めて低い（許容レベル）
【００６０】
さらに、希望によっては、上記の措置レベルと警戒レベルと判定された箇所に、今度は実際にトコジラミを探知する能力を有するイヌを連れて行き、直接トコジラミの有無を探知させることもできる。
【００６１】
検査後は、通常は各種器具の洗浄が必要となるが、本発明の場合には、コンタミネーションが有効に防止できるため、原則としてその必要がなくなるという利点がある。
また、このため、清浄であれば、検査室を適宜変更することも可能である。
【００６２】
検査終了後は、トコジラミが存在していると認定された検体を採取した場所（例えばホテルのある部屋など）で、トコジラミの駆除を行えばよい。
【００６３】
本発明は、トコジラミ吸引用具、前記トコジラミ吸引用具を用いたトコジラミ検査用キット、並びにこれらを用いたトコジラミの有無の検査方法に関するものであって、基本的にトコジラミに関するものである。これは、トコジラミの臭気の特異性が高く、トコジラミを探知する能力のあるイヌにとっては、探知が比較的容易であることに基づく。
【００６４】
本発明は、必要に応じて、駆除の要望の高いシロアリにも適用することが可能である。
シロアリの検知・探知に関しては、これまで目視での検知・探知の他に、炭酸ガス濃度差の検知器やマイクロウェーブ検知器、赤外線検知器などの検知器が提案されているが、必ずしも満足のいくものではなかったが、本発明のシステムは、トコジラミだけでなく、シロアリにも適用可能である。
さらに、シロアリの他、ダニなど、他の昆虫にも適用することが可能である。
また、コクゾウムシ、ノシメマダラメイガなどの貯穀害虫に適用することも可能である。
さらには、本発明のシステムは、ガンを含む各種病気の検査に応用することも可能である。例えば、マスク等に吸着体を仕込み、これを一定期間使用し、サンプリングして得た検体を、ガン探知犬に嗅がせて、ガン臭気の吸着した検体を探知させて、ガンの有無の早期発見に資することができる。
上記に列記した探知対象に対して使用するイヌは、それぞれ対象に特化した訓練を受け、その能力を有するイヌである。
【００６５】
また、本発明のシステムの原理を応用して、例えば、活性炭シートからなるトコジラミ臭気吸着体を小型の吸引機（吸引ファン）と組み合わせた設置型吸引具とし、これをホテルの部屋などに一定期間設置し、作動させておくことができ、これにより長期間のモニタリングが可能となる。
また、吸着体のみをホテルの部屋等に配置しておき、適宜回収して、トコジラミを探知する能力を有するイヌによる検査を行い、モニタリングすることも可能である。
【産業上の利用可能性】
【００６６】
本発明のトコジラミの吸引用具によれば、これを用いてホテルや簡易宿泊施設の部屋等の空気を吸引し、トコジラミ臭が吸着された検体を持ち帰り、トコジラミを探知する能力のあるイヌに嗅がせて、検体に吸着されたトコジラミ臭を探知することができる。
従って、最終的にはトコジラミ探知犬を使いながらも、トコジラミ探知犬がわざわざ検査の求められている現場へ出動する必要がなく、効率よく、しかも安価にトコジラミの有無を検査し、ひいては効率よくトコジラミの駆除を行うことが可能となる。
それ故、本発明は、害虫の駆除・予防分野はもとより、宿泊産業分野などにおいて有効に利用することができる。
【符号の説明】
【００６７】
１：吸引具
２：吸着体ケース
３：スペーサー
４：トコジラミ臭気吸着体
５：受け具
６：記入欄
７：不織布又は紙状物
４Ａ：検体
４１：トコジラミ臭気吸着体の周縁部
４２：トコジラミ臭気吸着体の中心部
１０１：延長パイプ連結部
１０２：トコジラミ臭気吸着体装着用端部
Ａ：トコジラミ吸引用具
Ｂ：掃除機の延長パイプ
Ｃ：密封用容器
Ｄ：検査容器
Ｄ１：検査容器Ｄの蓋
Ｄ２：検査容器Ｄの栓
Ｅ：検査用容器
Ｆ：加温・加熱用プレート
【図１７】
2014108096.tif 000003
【図１】
2014108096.tif 000004
【図２】
2014108096.tif 000005
【図３】
2014108096.tif 000006
【図４】
2014108096.tif 000007
【図５】
2014108096.tif 000008
【図６】
2014108096.tif 000009
【図７】
2014108096.tif 000010
【図８】
2014108096.tif 000011
【図９】
2014108096.tif 000012
【図１０】
2014108096.tif 000013
【図１１】
2014108096.tif 000014
【図１２】
2014108096.tif 000015
【図１３】
2014108096.tif 000016
【図１４】
2014108096.tif 000017
【図１５】
2014108096.tif 000018
【図１６】
2014108096.tif 000019
【図１８】
2014108096.tif 000020
【図１９】
2014108096.tif 000021
【図２０】
2014108096.tif 000022